(57)【要約】【課題】  放射線画像を担持した放射線の照射を受けて上記放射線画像を記録する放射線画像記録媒体であって、その記録された放射線画像に応じた画像信号を読み出すための多数の透明線状電極を有する放射線画像記録媒体において、画像信号のＳ/Ｎを向上させる。【解決手段】  第１の電極層１１を透過した放射線の照射を受けて記録用光導電層１２で発生した電荷を蓄積部１６に蓄積し、この蓄積された電荷と読取光の照射により読取用光導電層１４において発生した電荷とが結合することにより透明線状電極１５ａに放射線の照射量に応じた電荷が流れ出す放射線画像記録媒体において、透明線状電極１５ａの長さ方向に延びる端部１５ｃを除き中央部１５ｄに不透明良導電性部材１７を延設し、端部１５ｃ近傍の読取用光導電層１４においても電荷を効率よく発生させるとともに、透明線状電極１５ａの線抵抗の大きさを小さくし、熱雑音を低下させる。【選択図】          図１
2006005057.tif 000002
【特許請求の範囲】
【請求項１】
放射線画像を担持した放射線の照射を受けて電荷を発生し、該電荷を蓄積して前記画像情報を記録する電荷蓄積層と、
読取用の電磁波の照射を受けて前記蓄積された電荷と結合する電荷を発生する読取用光導電層と、
前記読取用の電磁波を透過する透明線状電極と前記読取用の電磁波を遮る線状の電磁波非透過電極とが交互に多数平行に配列された電極層とがこの順に積層された放射線画像記録媒体において、
前記透明線状電極の長さ方向に延びる端部を除き該透明線状電極の中央部に不透明良導電性部材が延設されていることを特徴とする放射線画像記録媒体。
【請求項２】
放射線画像を担持した放射線の照射を受けて電荷を発生し、該電荷を蓄積して前記画像情報を記録する電荷蓄積層と、
読取用の電磁波の照射を受けて前記蓄積された電荷と結合する電荷を発生する読取用光導電層と、
前記読取用の電磁波を透過する透明線状電極が多数平行に配列された電極層とがこの順に積層された放射線画像記録媒体において、
前記透明線状電極の長さ方向に延びる端部を除き該透明線状電極の中央部に不透明良導電性部材が延設されていることを特徴とする放射線画像記録媒体。
【請求項３】
前記透明線状電極の配列ピッチに対する前記透明線状電極の幅の比率が４０％以下であることを特徴とする請求項２記載の放射線画像記録媒体。
【請求項４】
前記端部の幅が、０．５μｍ以上であることを特徴とする請求項１から３いずれか１項記載の放射線画像記録媒体。
【請求項５】
印加された電界に応じて光学特性が変化する表示層と、
表示用の電磁波の照射により前記電界を形成する電荷を発生する光スイッチング層と、
前記表示用の電磁波を透過する透明線状電極が多数平行に配列された電極層とがこの順に積層された画像表示媒体において、
前記透明線状電極の長さ方向に延びる端部を除き該透明線状電極の中央部に不透明良導電性部材が延設されていることを特徴とする画像表示媒体。
【発明の詳細な説明】
【技術分野】
【０００１】
本発明は、放射線画像を担持した放射線の照射を受けて上記放射線画像を記録する放射線画像記録媒体であって、その記録された放射線画像に応じた電荷信号を読み出すための多数の透明線状電極を有する放射線画像記録媒体、および画像情報に応じた電圧印加により光学特性が変化して上記画像情報を表示する画像表示媒体であって、上記電圧が印加される多数の透明線状電極を有する画像表示媒体に関するものである。
【背景技術】
【０００２】
従来より、医療分野などにおいて、被写体を透過した放射線の照射を受けて電荷を発生し、その電荷を蓄積することにより被写体に関する放射線画像を記録する放射線画像記録媒体が各種提案、実用化されている。
【０００３】
上記のような放射線画像記録媒体としては、たとえば、特許文献１には、放射線を透過する第１の電極層、放射線の照射を受けることにより電荷を発生する記録用光導電層、一方の極性の電荷に対しては絶縁体として作用し、かつ他方の極性の電荷に対しては導電体として作用する電荷輸送層、読取光の照射を受けることにより電荷を発生する読取用光導電層、および読取光を透過する透明線状電極と読取光を遮る線状の読取光非透過電極とが平行に交互に配列された第２の電極層をこの順に積層してなる放射線画像記録媒体が提案されている。
【０００４】
そして、上記のように構成された放射線画像記録媒体により放射線画像の記録を行う際には、まず、図７（Ａ）に示すように、放射線画像記録媒体の第１の電極層１に接続された高圧電源により第１の電極層１に負の高電圧が印加された状態で、被写体を透過した放射線が照射される。上記のようにして照射された放射線は、第１の電極層１を透過し、記録用光導電層２に照射され、記録用光導電層２の放射線の照射された部分において電荷が発生し、この電荷のうち正の電荷は負に帯電した第１の電極層１に向かって移動し、第１の電極層１における負の電荷と結合して消滅する。一方、上記ようにして発生した電荷対のうち負の電荷は正に帯電した第２の電極層５に向かって移動するが、上記のように電荷輸送層３は負の電荷に対しては絶縁体として作用するため、図７（Ｂ）に示すように、上記負の電荷は記録用光導電層２と電荷輸送層３との界面である蓄電部６に蓄積され、この蓄電部への負電荷の蓄積により放射線画像の記録が行われる。
【０００５】
そして、上記のようにして記録された放射線画像を放射線画像記録媒体から読み取る際には、まず、図７（Ｃ）に示すように、読取光が第２の電極層５側から照射される。照射された読取光は、第２の電極層５における透明線状電極５ａを透過し、読取用光導電層４に照射され、読取用光導電層４において電荷対が発生する。そして、読取用光導電層４において発生した電荷対のうち正の電荷が蓄電部６に蓄積された負電荷と結合するとともに、負の電荷が透明線状電極５ａに帯電した正の電荷と、読取光非透過電極５ｂからＧＮＤを介して透明線状電極５ａ側に流れてくる正の電荷とに結合することにより、透明線状電極５ａに接続された電流検出アンプ８により電流ｉが検出され、その電流ｉが電圧に変換されて画像信号として取得される。
【０００６】
ここで、上記のような放射斜線画像記録媒体を用いて、たとえば、乳房の放射線画像を記録し、これを読み出して画像信号を取得する場合などにおいては、放射線画像を構成する画素の幅を５０μｍ程度にする必要があるため透明線状電極の幅を１０〜２０μｍ程度にする必要がある。しかしながら、このように細い透明線状電極を形成した場合、透明線状電極の材料は比抵抗が大きいＩＴＯなどの酸化物材料であるため透明線状電極の線抵抗が大きくなって電流検出アンプにおける熱雑音が増加し、画像信号のＳ/Ｎが劣化してしまう。また、上記のように透明線状電極の線抵抗が大きいと画像信号を取得する際の時定数も大きくなるため応答速度が遅くなってしまう。透明線状電極の線抵抗の大きさを小さくする方法としては、特許文献２において、透明線状電極の導電性よりも高い導電性を呈する金属などの不透明導電性部材を透明線状電極に接触して配設する方法が提案されている。
【０００７】
【特許文献１】特開２０００−２８４０５６号公報
【特許文献２】特開２００１−２８４５６５号公報
【特許文献３】特願２００３−４３３４６７号
【発明の開示】
【発明が解決しようとする課題】
【０００８】
しかしながら、特許文献２に記載の放射線画像記録媒体においては、透明線状電極の長さ方向に延びる端部の上面に上記不透明導電性部材を配設しているため、端部を透過する読取光が遮断され、端部近傍の読取用光導電層において電荷を発生させることができない。特許文献１に記載の放射線画像記録媒体のように透明線状電極と読取光非透過電極とにより放射線画像の読取りを行う際には、透明線状電極の端部近傍での電荷の発生が最も画像信号の読取効率に寄与するため、特許文献２に記載の放射線画像記録媒体のように、透明線状電極の端部の上面に不透明導電性部材を配設したのでは、十分な大きさの画像信号を取得することができず画像信号のＳ/Ｎが劣化してしまう。
【０００９】
また、特許文献１に記載の放射線画像記録媒体のように、透明線状電極と読取光非透過電極とにより放射線画像を読取るのではなく、透明線状電極のみで放射線画像の読取りを行う放射線画像記録媒体も提案されている。このような放射線画像記録媒体においては、電流検出アンプにおけるノイズを減らすため透明線状電極間の隣接間容量をできるだけ減らす必要があり、そのためには透明線状電極の配列ピッチに対する透明線状電極の幅の比率をできるだけ小さくすることが望ましい。しかしながら、上記比率を小さくするとともに、線抵抗の大きさを小さくするため、特許文献２に記載の放射線画像記録媒体のように透明線状電極の端部の上面に不透明導電性部材を設けるようにしたのでは、読取効率が大きく低下してしまう。
【００１０】
また、上記のような放射線画像記録媒体と同様に、透明線状電極を利用した画像表示媒体も提案されており、具体的には、特許文献３において、印加された電界に応じて光学特性が変化する表示層と、表示用のアドレス光の照射により上記電界を形成するための電荷を発生する光スイッチング層と、表示用のアドレス光を透過する透明線状電極が多数平行に配列された電極層とがこの順に積層された画像表示媒体が提案されている。
【００１１】
上記のような画像表示媒体においては、画像に応じて電極層における透明線状電極毎に選択的に電圧が印加されるとともに、電極層側から透明線状電極の長さ方向に直交する方向に延びるアドレス光が透明線状電極の長さ方向に沿って走査され、このアドレス光の照射により光スイッチング層において電荷が発生し、この電荷により表示層に電界が形成されて表示層の光学特性が変化し、上記画像が表示される。
【００１２】
そして、上記のように画像表示媒体においては、高速な画像表示を可能にするため、できるだけ透明線状電極間の隣接間容量を減らして時定数を小さくする必要があり、そのためには透明線状電極の配列ピッチに対する透明線状電極の幅の比率を小さくすることが望ましい。しかしながら、上記比率を小さくすると光スイッチング層における電荷の発生に寄与する透明線状電極の面積が低下してしまうため、透明線状電極間に対応する範囲の表示層において適切に画像が表示されない領域が発生してしまう。また、特許文献２に記載の放射線画像記録媒体のように透明線状電極に不透明導電性部材を設けることにより線抵抗を小さくして上記時定数を小さくし、画像表示の高速化を図ることもできるが、特許文献２に記載の放射線画像記録媒体のように透明線状電極の端部の上面に導電性部材を設けたのでは、透明線状電極の端部近傍の光スイッチング層において電荷を発生させることができないため、やはり透明線状電極間に対応する範囲の表示層において適切に画像が表示されない領域が発生してしまう。
【００１３】
本発明は、上記事情に鑑み、上記のような透明線状電極を利用した放射線画像記録媒体において、読取効率の低下を招くことなく透明線状電極の線抵抗の大きさを小さくし、画像信号のＳ/Ｎを向上することができる放射線画像記録媒体を提供することを目的とするものである。
【００１４】
また、本発明は、上記のような透明線状電極を利用した画像表示媒体において、透明線状電極間に対応する範囲の表示層においても適切に画像を表示させることができるとともに、画像表示の高速化を図ることができる画像表示媒体を提供することを目的とするものである。
【課題を解決するための手段】
【００１５】
本発明の第１の放射線画像記録媒体は、放射線画像を担持した放射線の照射を受けて電荷を発生し、その電荷を蓄積して画像情報を記録する電荷蓄積層と、読取用の電磁波の照射を受けて上記蓄積された電荷と結合する電荷を発生する読取用光導電層と、読取用の電磁波を透過する透明線状電極と読取用の電磁波を遮る線状の電磁波非透過電極とが交互に多数平行に配列された電極層とがこの順に積層された放射線画像記録媒体において、透明線状電極の長さ方向に延びる端部を除きその透明線状電極の中央部に不透明良導電性部材が延設されていることを特徴とする。
【００１６】
本発明の第２の放射線画像記録媒体は、放射線画像を担持した放射線の照射を受けて電荷を発生し、その電荷を蓄積して画像情報を記録する電荷蓄積層と、読取用の電磁波の照射を受けて上記蓄積された電荷と結合する電荷を発生する読取用光導電層と、読取用の電磁波を透過する透明線状電極が多数平行に配列された電極層とがこの順に積層された放射線画像記録媒体において、透明線状電極の長さ方向に延びる端部を除きその透明線状電極の中央部に不透明良導電性部材が延設されていることを特徴とする。
【００１７】
また、上記第２の放射線画像記録媒体においては、透明線状電極の配列ピッチに対する透明線状電極の幅の比率を４０％以下とすることが望ましい。
【００１８】
また、上記第１および第２の放射線画像記録媒体においては、端部の幅を、０．５μｍ以上とすることが望ましい。
【００１９】
本発明の画像表示媒体は、印加された電界に応じて光学特性が変化する表示層と、表示用の電磁波の照射により前記電界を形成する電荷を発生する光スイッチング層と、表示用の電磁波を透過する透明線状電極が多数平行に配列された電極層とがこの順に積層された画像表示媒体において、透明線状電極の長さ方向に延びる端部を除きその透明線状電極の中央部に不透明良導電性部材が延設されていることを特徴とする。
【００２０】
ここで、上記「不透明良導電性部材」の「良導電性」とは、少なくとも透明線状電極の導電性よりも高い導電性を呈することを意味する。
【００２１】
また、上記「透明線状電極の長さ方向に延びる端部を除き」とは、必ずしも透明線状電極の長さ方向の一端から他端まで延びる端部の全てを除く必要はなく、端部を透過した読取用の電磁波が実質的に読取用光導電層に照射されるようにするのであれば、上記一端から他端まで延びる端部の一部に不透明良導電性部材を設けるようにしてもよい。また、必ずしも両端部に不透明良導電性部材を設けないようにする必要はなく、一方の端部に不透明良導電性部材を設けるようにし、他方の端部に不透明良導電性材料を設けないようにしてもよい。
【００２２】
また、上記「中央部」とは、透明線状電極の上記「端部」を除く部分のことを意味する。
【００２３】
また、上記「中央部に不透明良導電性部材が延設されている」とは、必ずしも透明線状電極の長さ方向の一端から他端まで延びる中央部の全てに不透明導電性部材を設ける必要はなく、上記一端から他端まで延びる中央部の一部に不透明良導電性部材を設けないようにしてもよい。
【００２４】
また、上記画像表示媒体において、上記「光学特性が変化する」するとは、視覚により確認できるように光学特性が変化することを意味し、上記表示層としては、たとえば、液晶層を有するもの、正に帯電した白色粉末と負に帯電した黒色粉末を含有したマイクロカプセルを分散した分散層を有するものなどを利用することができる。
【発明の効果】
【００２５】
本発明の第１および第２の放射線画像記録媒体によれば、透明線状電極の長さ方向に延びる端部を除きその透明線状電極の中央部に不透明良導電性部材を延設するようにしたので、透明線状電極の端部近傍の読取用光導電層においても電荷を発生させることができ、読取効率の低下を招くことなく透明線状電極の線抵抗の大きさを小さくし、画像信号のＳ/Ｎを向上することができる。
【００２６】
また、上記第２の放射線画像記録媒体において、透明線状電極の配列ピッチに対する透明線状電極の幅の比率を４０％以下とした場合には、透明線状電極間の隣接間容量を減少させることができるので、上記隣接間容量に起因するノイズを減少させることができ、さらに画像信号のＳ/Ｎを向上することができる。
【００２７】
また、上記端部の幅を、０．５μｍ以上とした場合には、たとえば、読取用の電磁波として波長が０．５μｍ程度の読取光（青色光）を利用した場合、この読取光を十分に読取用光導電層に照射させるようにすることができる。
【００２８】
本発明の画像表示媒体によれば、透明線状電極の長さ方向に延びる端部を除きその透明線状電極の中央部に不透明良導電性部材を延設するようにしたので、透明線状電極の端部近傍の光スイッチング層においても電荷を発生させることができ、透明線状電極間に対応する範囲の表示層の領域においても電界を形成することができるので、上記領域にも適切に画像を表示させることができるとともに、透明線状電極の線抵抗の大きさを小さくして時定数を小さくすることができるので画像表示の高速化を図ることができる。
【発明を実施するための最良の形態】
【００２９】
以下、図面を参照して本発明の放射線画像記録媒体の一実施形態について説明する。図１（Ａ）は本放射線画像記録媒体の斜視図、図１（Ｂ）は図１（Ａ）に示す放射線画像記録媒体のＢ−Ｂ線断面図である。
【００３０】
本放射線画像記録媒体１０は、図１に示すように、被写体の放射線画像を担持した放射線を透過する第１の電極層１１、放射線の照射を受けて電荷を発生する記録用光導電層１２、記録用光導電層１２において発生した一方の極性の電荷に対しては絶縁体として作用し、かつ他方の極性の電荷に対しては導電体として作用する電荷輸送層１３、読取光の照射を受けることにより電荷を発生する読取用光導電層１４、および読取光を透過する透明線状電極１５ａと読取光を遮る線状の読取光非透過電極１５ｂとが多数平行に配列された第２の電極層１５がこの順に積層されたものである。そして、記録用光導電層１２と電荷輸送層１３との界面には記録用光導電層１２で発生した電荷が蓄積される蓄積部１６が形成されている。
【００３１】
第１の電極層１１としては、放射線を透過するものであればよく、たとえば、ネサ皮膜（ＳｎＯ２）、ＩＴＯ（Indium Tin Oxide）、アモルファス状光透過性酸化膜であるＩＤＩＸＯ（Idemitsu Indium X-metal Oxide ；出光興産（株））などを５０〜２００ｎｍ厚にして用いることができ、また、１００ｎｍ厚のＡｌやＡｕなども用いることもできる。
【００３２】
第２の電極層１５は、上記のように透明線状電極１５ａと読取光非透過電極１５ｂとを有するものであるが、透明線状電極１５ａの材料としては読取光を透過し、導電性を有するものであれば如何なるものでもよいが、たとえば、第１の電極層１１と同様に、ＩＴＯやＩＤＩＸＯを用いることができる。また、Ａｌ、Ｃｒなどの金属を用いて読取光を透過する程度の厚さ（たとえば、１０ｎｍ程度）で形成するようにしてもよい。また、読取光非透過電極１５ｂの材料としては読取光を遮光し、導電性を有するものであれば如何なるものでもよいが、たとえば、Ａｌ、Ｃｒなどの金属を用いて読取光を遮光する程度の厚さ（たとえば、１００ｎｍ厚程度）で形成するようにすればよい。また、本実施形態の放射線画像記録媒体１０においては、図１（Ｂ）に示すように、透明線状電極１５ａと読取光非透過電極１５ｂとの間隔Ｄは１０μｍである。
【００３３】
記録用光導電層１２は、放射線の照射を受けることにより電荷を発生するものであればよく、放射線に対して比較的量子効率が高く、また暗抵抗が高いなどの点で優れているａ−Ｓｅを主成分とするものを使用する。厚さは５００μｍ程度が適切である。
【００３４】
電荷輸送層１３としては、たとえば、放射線画像の記録時に第１の電極層１１に帯電する電荷の移動度と、その逆極性となる電荷の移動度の差が大きい程良く（例えば１０２以上、望ましくは１０３以上）、たとえば、放射線画像の記録時に第１の電極層１１に負の電圧を印加するような場合には、正の電荷の移動度と、その逆極性となる負の電荷の移動度の差が大きいものが良く、ポリＮ−ビニルカルバゾール（ＰＶＫ）、N,N'−ジフェニル−N,N'−ビス（３−メチルフェニル）−〔1,1'−ビフェニル〕−4,4'−ジアミン（ＴＰＤ）やディスコティック液晶等の有機系化合物、或いはＴＰＤのポリマー（ポリカーボネート、ポリスチレン、ＰＶＫ）分散物，Ｃｌを１０〜２００ｐｐｍドープしたａ−Ｓｅ等の半導体物質が適当である。
【００３５】
読取用光導電層１４としては、読取光の照射を受けることにより導電性を呈するものであればよく、例えば、ａ−Ｓｅ、Ｓｅ−Ｔｅ、Ｓｅ−Ａｓ−Ｔｅ、無金属フタロシアニン、金属フタロシアニン、ＭｇＰｃ（Magnesium phtalocyanine），ＶｏＰｃ（phaseII of Vanadyl phthalocyanine）、ＣｕＰｃ（Cupper phtalocyanine）などのうち少なくとも１つを主成分とする光導電性物質が好適である。厚さは０．１〜１μｍ程度が適切である。
【００３６】
ここで、本放射線画像記録媒体１０の透明線状電極１５ａには、その端部１５ｃを除く中央部１５ｄの上面に不透明良導電性部材１７が延設されている。不透明良導電性部材１７の材料については、透明線状電極１５ａの導電性よりも高い導電性を呈するものであれば如何なる材料でもよいが、たとえば、Ａｌ、ＡｇまたはＣｕなどを使用すればよい。また、図１（Ｂ）に示すように、本実施形態の放射線画像記録媒体１０の透明線状電極１５ａおよび読取光非透過電極１５ｂの幅Ｌ１は１５μｍであり、不透明良導電性材料１７の幅Ｌ２は１０μｍであり、端部１５ｃの幅Ｌ３は２．５μｍである。不透明良導電性材料１７を設けない端部の幅Ｌ３は読取光の波長よりも長くするようにすることが望ましく、たとえば、読取光として波長が０．５μｍ程度の青色の光を利用する場合には、端部の幅Ｌ３は０．５μｍ以上とすることが望ましく、たとえば、１μｍ〜２μｍ程度とすればよい。また、２つの端部１５ｃの幅Ｌ３の合計が透明線状電極１５ａの幅Ｌ１の１/３以上とすることが望ましい。
【００３７】
また、本実施形態の放射線画像記録媒体１０においては、透明線状電極１５ａの一端から他端まで延びる端部１５ｃの全部に不透明良導電性材料１７を設けないようにしたが、必ずしも透明線状電極１５ａの一端から他端まで延びる端部１５ｃの全部に不透明良導電性材料１７を設けないようにする必要はなく、端部１５ｃを透過した読取光が実質的に読取用光導電層１４に照射されるようにするのであれば、一端から他端まで延びる端部１５ｃの一部に不透明良導電性部材１７を設けるようにしてもよい。また、必ずしも両側の端部１５ｃに不透明良導電性部材１７を設けないようにする必要はなく、一方の端部１５ｃに不透明良導電性部材１７を設けるようにし、他方の端部１５ｃに不透明良導電性材料１７を設けないようにしてもよい。また、本実施形態の放射線画像記録媒体１０においては、透明線状電極１５ａの一端から他端まで延びる中央部１５ｄの全てに不透明導電性部材１７を設けるようにしたが、必ずしも透明線状電極１５ａの一端から他端まで延びる中央部１５ｄの全てに不透明導電性部材１７を設ける必要はなく、一端から他端まで延びる中央部１５ｄの一部に不透明良導電性部材１７を設けないようにしてもよい。
【００３８】
上記のように構成された放射線画像記録媒体１０に被写体を透過した放射線を照射して放射線画像を記録すると、図２に示すように、蓄電部１６に放射線の照射量に応じた量の負の電荷が蓄積される。そして、蓄電部１６に蓄積された電荷を読み出す際には、第２の電極層１４側から読取光が照射され、透明線状電極１５ａを透過した読取光が読取用光導電層１４に照射され、この読取光の照射により読取用光導電層１４において電荷が発生するが、上記のように透明線状電極１５ａの端部１５ｃに不透明良導電性材料１７を設けないようにすれば、その端部１５ｃ近傍の読取用光導電層１４に読取光を照射して電荷を発生させることができるので、透明線状電極１５ａの配列方向（長さ方向に直交する方向）に、より広い範囲で電荷を発生させることができる。したがって、読取効率の低下を招くことなく透明線状電極の線抵抗の大きさを小さくし、画像信号のＳ/Ｎを向上させることができる。
【００３９】
また、上記実施形態の放射線画像記録媒体１０においては、第２の電極層１５における読取光非透過電極１５ｂを、読取光を遮る材料から形成するようにしたが、たとえば、図３に示すように、読取光を透過する透明線状電極１５ａの端面および上面を、読取光を遮る読取光非透過材料１８で被覆することにより読取光非透過電極を形成するようにしてもよい。
【００４０】
また、上記実施形態の放射線画像記録媒体１０においては、透明線状電極１５ａの上面に不透明良導電性材料１７を設けるようにしたが、これに限らず、たとえば、図４に示すように、透明線状電極１５ａの内部の中央部１５ｄに不透明良導電性材料１７を設けるようにしてもよい。つまり、透明線状電極１５ａの端部１５ｃを読取光が透過するようにするのであれば、如何なる態様で不透明良導電性材料１７を設けるようにしてもよい。
【００４１】
また、上記実施形態の放射線画像記録媒体１０においては、第２の電極１５を透明線状電極１５ａと読取光非透過電極１５ｂとから構成するようにしたが、読取光非透過電極１５ｂを設けずに、透明線状電極１５ａのみから構成するようにしてもよい。透明線状電極１５ａのみから構成する場合においては、透明線状電極１５ａの幅の透明線状電極１５ａの配列ピッチに対する比率を４０％以下とすることが望ましい。また、上記実施形態の放射線画像記録媒体１０と同様に、不透明良導電性材料１７を設けない端部の幅は読取光の波長よりも長くするようにすることが望ましく、たとえば、読取光として波長が０．５μｍ程度の青色の光を利用する場合には、端部の幅は０．５μｍ以上とすることが望ましく、たとえば、１μｍ〜２μｍ程度とすればよい。また、２つの端部１５ｃの幅の合計が透明線状電極１５ａの幅の１/３以上とすることが望ましい。
【００４２】
また、上記実施形態の放射線画像記録媒体１０は、放射線の照射を直接受けて電荷を発生するいわゆる直接変換の放射線画像記録媒体であるが、図５に示すような、放射線の照射を受け可視光を発する波長変換層２１が第１の電極層１１側に設けられた、いわゆる間接変換の放射線画像記録媒体２０に、上記実施形態の放射線画像記録媒体１０と同様に不透明良導電性材料１７を設けるようにしてもよい。なお、上記間接変換の放射線画像記録媒体２０においては、第１の電極層１１は、上記波長変換層２１において発生した可視光を透過する材料から形成し、記録用光導電層１２は、上記可視光の照射を受けて電荷を発生する材料から形成する必要がある。波長変換層２１は、たとえば、ＣａＷＯなどの蛍光体を用いて形成するようすればよい。また、記録用光導電層１２の厚さは１０μｍ程度が適切である。
【００４３】
また、放射線画像記録媒体の層構成は上記実施形態のような層構成に限らずその他の層を加えたりしてもよい。
【００４４】
次に、本発明の画像表示媒体の一実施形態を利用した画像表示装置について説明する。図６（Ａ）は本画像表示装置における画像表示媒体の斜視図、図６（Ｂ）は図６（Ａ）の画像表示媒体のＢ−Ｂ線断面図である。
【００４５】
本画像表示装置における画像表示媒体３０は、図６（Ａ）に示すように、可視光を透過する第１の電極層３１、電界に応じて光学特性が変化する表示層３２、読取光の照射により導電性を呈する光スイッチング層３３、線状のアドレス光を透過する透明線状電極３４ａが多数平行に配列された第２の電極層３４をこの順に積層してなるものである。
【００４６】
そして、本画像表示装置は、上記画像表示媒体３０と、その画像表示媒体３０の透明線状電極３４ａに所定の電圧を印加する電圧印加部３６と、画像表示媒体３０の第２の電極層３４側から線状のアドレス光を照射するライン光源４０とを備えている。なお、ライン光源４０は、透明線状電極３４ａの長さ方向、つまり図６（Ａ）における矢印Ｙ方向に移動するものであるが、その移動機構については図示省略してある。
【００４７】
第１の電極層３１としては、可視光を透過するものであればよく、たとえば、ネサ皮膜（ＳｎＯ２）、ＩＴＯ（Indium Tin Oxide）、アモルファス状光透過性酸化膜であるＩＤＩＸＯ（Idemitsu Indium X-metal Oxide ；出光興産（株））などを５０〜２００ｎｍ厚にして用いることができる。
【００４８】
第２の電極層３４は、上記のように多数の透明線状電極３４ａからなるものであるが、その材料としてはアドレス光を透過するものであれば如何なるものでもよく、たとえば、第１の電極層３１と同様に、ＩＴＯやＩＤＩＸＯを用いることができる。
【００４９】
ここで、画像表示媒体３０の透明線状電極３４ａには、その端部３４ｃを除く中央部３４ｃの上面に不透明良導電性部材３５が延設されている。不透明良導電性部材３５の材料については、透明線状電極３４ａの導電性よりも高い導電性を呈するものであれば如何なる材料でもよいが、たとえば、Ａｌ、ＡｇまたはＣｕなどを使用すればよい。また、不透明良導電性材料３５を設けない端部３４ｂの幅はアドレス光の波長よりも長くするようにすることが望ましく、たとえば、アドレス光として波長が０．５μｍ程度の青色の光を利用する場合には、端部３４ｂの幅は０．５μｍ以上とすることが望ましく、たとえば、１μｍ〜２μｍ程度とすればよい。また、２つの端部１５ｃの幅Ｌ３の合計が透明線状電極１５ａの幅Ｌ１の１/３以上とすることが望ましい。
【００５０】
表示層３２は、液晶からなる液晶層３２ａと黒色シートからなる光吸収層３２ｂとから構成されている。液晶層３２ａに使用する液晶としては、ポリマーネットワーク液晶（ＰＮＬＣＤ）を用いることが望ましい。
【００５１】
光スイッチング層３３は、アドレス光の照射により電荷を発生する第１および第２の電荷発生層３３ａ，３３ｃと、その第１の電荷発生層３３ａと第２の電荷発生層３３ｃとの間に挟まれて設けられた正孔輸送層３３ｂとから構成されている。第１および第２の電荷発生層３３ａ，３３ｃとしては、アドレス光の照射により電荷を発生するものであれば如何なるものでもよいが、たとえば、ａ−Ｓｅ、Ｓｅ−Ｔｅ、Ｓｅ−Ａｓ−Ｔｅ、無金属フタロシアニン、金属フタロシアニン、ＭｇＰｃ（Magnesium phtalocyanine），ＶｏＰｃ（phaseII of Vanadyl phthalocyanine）、ＣｕＰｃ（Cupper phtalocyanine）などのうち少なくとも１つを主成分とする光導電性物質が好適である。また、正孔輸送層３３ｂとしては、正の電荷の移動度と、その逆極性となる負の電荷の移動度の差が大きいもの（例えば１０２以上、望ましくは１０３以上）であればよく、たとえば、ポリＮ−ビニルカルバゾール（ＰＶＫ）、N,N'−ジフェニル−N,N'−ビス（３−メチルフェニル）−〔1,1'−ビフェニル〕−4,4'−ジアミン（ＴＰＤ）やディスコティック液晶等の有機系化合物、或いはＴＰＤのポリマー（ポリカーボネート、ポリスチレン、ＰＶＫ）分散物などの半導体物質が適当である。
【００５２】
電圧印加部３６は、入力された画像データに応じて各透明線状電極３４ａに＋３０Ｖまたは０Ｖ（接地電圧）を切り替えて印加するものである。
【００５３】
ライン光源４０は、図示省略した移動機構により矢印Ｙ方向に移動させられ、画像表示媒体３０を線状のアドレス光で走査するものである。なお、本実施形態においては、上記のように線状のアドレス光を矢印Ｙ方向に走査することにより画像表示媒体３０の全面をアドレス光により走査するようにしたが、必ずしも線状の光に限らず、スポット光により透明線状電極３４ａの配列方向および矢印Ｙ方向に走査することにより画像表示媒体３０の全面を走査するようにしてもよい。
【００５４】
次に、本画像表示装置の作用について説明する。
【００５５】
まず、第１の電極層３１が接地された状態において、画像表示媒体３０に表示させる画像を構成する画素データのうちの１ライン分の画素データが電圧印加部３６に入力され、電圧印加部３６は入力された１ライン分の画素データに応じて各透明線状電極３４ａに電圧を印加する。本実施形態においては、画像表示媒体３０を矢印Ａ方向から見た場合に、黒く見える画素に対応する透明線状電極３４ａには０Ｖを印加し、白く見える画素に対応する透明線状電極３４ａには＋３０Ｖを印加する。そして、上記のように透明線状電極３４ａに電圧が印加されるとともに、ライン光源４０が駆動され、透明線状電極３４ａの配列方向に延びるアドレス光が画像表示媒体３０の第２の電極層３４側から照射される。第２の電極層３４側から照射されたアドレス光は、光スイッチング層３３の第２の電荷発生層３３ｃに照射されるとともに、第２の電荷発生層３３ｃおよび正孔輸送層３３ｂを透過したアドレス光の一部が第１の電荷発生層３３ａに照射される。そして、アドレス光の照射により第１および第２の電荷発生層３３ａ，３３ｃにおいて電荷が発生するが、上記のように透明線状電極３４ａの端部３４ｂに不透明良導電性材料３５を設けないようにすれば、その端部３４ｃを透過したアドレス光により第１および第２の電荷発生層３３ａ，３３ｃにおいて電荷を発生させることができるので、透明線状電極３４ａの配列方向（長さ方向に直交する方向）に、より広い範囲で電荷を発生させることができる。
【００５６】
そして、正の電圧が印加された透明線状電極３４ａに対応する範囲の第１の電荷発生層３３ａにおいて発生した電荷のうちの正の電荷は、接地された第１の電極層３１側に移動し、第１の電荷発生層３３ａの表示層３２との界面で留まり、負の電荷は電荷発生層３３ａの正孔輸送層３３ｂとの界面に留まる。また、正の電圧が印加された透明線状電極３４ａに対応する第２の電荷発生層３３ｃにおいて発生した電荷のうちの正の電荷は、接地された第１の電極層３１側に正孔輸送層３３ｂを通過して移動し、上記のようにして電荷発生層３３ａの正孔輸送層３３ｂとの界面に留まった負の電荷と結合して消滅し、負の電荷は透明線状電極３４ａに帯電された正の電荷と結合して消滅する。なお、接地された透明線状電極３４ａに対応する範囲の第１の電荷発生層３３ａおよび第２の電荷発生層３３ｃにおいては電界が形成されないので電荷は発生しない。
【００５７】
そして、上記のような作用の結果、図６（Ｂ）に示すように、第１の電荷発生層３３ａにおいて発生した電荷のうちの正の電荷のみが、第１の電荷発生層３３ａの表示層３２との界面で留まることになり、正の電圧が印加された透明線状電極３４ａに対応する範囲の第１の電荷発生層３３ａと第１の電極層３１との間に電界が形成され、その電界に応じて表示層３２の液晶層３２ａの液晶分子の長軸方向が変化する。具体的には、正の電圧が印加された透明線状電極３４ａに対応した液晶層３２ａにおいては、上記のように第１の電荷発生層３３ａに蓄積された正の電荷により第１の電荷発生層３３ａと第１の電極層３１との間に電界が形成されるので、液晶分子の長軸方向が矢印Ａ方向に沿った方向となり、矢印Ａ方向から見た場合、黒く表示される。また、接地された透明線状電極３４ａに対応した液晶層３２ａにおいては、上記のように第１および第２の電荷発生層３３ａ，３３ｃにおいて電荷が発生しないので電界が形成されず、液晶分子の長軸方向が不規則状態になるため光が散乱し、矢印Ａ方向から見た場合、白く表示される。
【００５８】
そして、上記のように１ラインの表示が終わった後は、ライン光源が矢印Ｙ方向に移動するととともに、次のラインの１ライン分の画素データが電圧印加部２０に入力され、上記と同様の作用により次の１ラインの白黒表示がされる。そして、全てのラインについて順次上記と同様の作用を繰り返すことにより最終的には画像表示装置１０全体に画像が表示される。
【００５９】
本実施形態の画像表示媒体３０においては、上記のように透明線状電極３４ａの端部３４ｂに不透明良導電性材料３５を設けないようにしたので、表示層３２において、透明線状電極３４ａの配列方向（長さ方向に直交する方向）に、より広い範囲で電界を形成することができ、透明線状電極３４ａ間に対応する範囲の表示層３２においても適切な画像表示を行うことができる。
【００６０】
なお、上記実施形態の画像表示媒体３０においては、表示層３２を液晶層３２ａと光吸収層３２ｂとから構成するようにしたが、これに限らず、たとえば、正に帯電した白色粉末と負に帯電した黒色粉末を含有したマイクロカプセルを分散した分散層と光吸収層とから構成するようにしてもよい。なお、表示層を上記のような構成とした場合には、表示層に形成された電界に応じて分散層に分散されたマイクロカプセル内の白色粉末および黒色粉末が移動し、上記白色粉末および黒色粉末の移動の結果、第１の電極層側に白色粉末が集まっている部分については、矢印Ａ方向から見た際、白く表示されて見え、第１の電極層側に黒色粉末が集まっている部分については、矢印Ａ方向から見た際、黒く表示されて見える。
【００６１】
また、本画像表示装置における画像表示媒体の層構成は上記実施形態のような層構成に限らずその他の層を加えたりしてもよい。
【図面の簡単な説明】
【００６２】
【図１】本発明の放射線画像記録媒体の一実施形態の斜視図（Ａ）、図１（Ａ）に示す放射線画像記録媒体のＢ−Ｂ線断面図（Ｂ）
【図２】本発明の放射線画像記録媒体の作用を説明するための図
【図３】本発明の放射線画像記録媒体における読取光非透過電極のその他の構成を示す図
【図４】本発明の放射線画像記録媒体における不透明良導電性部材のその他の配置を示す図
【図５】本発明の放射線画像記録媒体のその他の実施形態を示す図
【図６】本発明の画像表示媒体の一実施形態の斜視図（Ａ）、図６（Ａ）に示す画像表示媒体のＢ−Ｂ線断面図（Ｂ）
【図７】従来の放射線画像記録媒体の作用を説明するための図
【符号の説明】
【００６３】
１，１１    第１の電極層
２，１２    記録用光導電層
３，１３    電荷輸送層
４，１４    読取用光導電層
５，１５    第２の電極層
５ａ，１５ａ    透明線状電極
５ｂ，１５ｂ    読取光非透過電極
６，１６    蓄電部
８    電流検出アンプ
１０，２０    放射線画像記録媒体
１７    不透明良導電性部材
１８    読取光非透過材料
２１    波長変換層
３１    第１の電極層
３２    表示層
３２ａ    液晶層
３２ｂ    光吸収層
３３    光スイッチング層
３３ａ    第１の電荷発生層
３３ｂ    正孔輸送層
３３ｃ    第２の電荷発生層
３４    第２の電極層
３４ａ    透明線状電極
３４ｂ    端部
３４ｃ    中央部
３５    不透明良導電性部材
３６    電圧印加部
４０    ライン光源
【図１】
2006005057.tif 000003
【図２】
2006005057.tif 000004
【図３】
2006005057.tif 000005
【図４】
2006005057.tif 000006
【図５】
2006005057.tif 000007
【図６】
2006005057.tif 000008
【図７】
2006005057.tif 000009